(57)【要約】パイロット支援されたチャネル推定プロセス。受信機は、パイロットトーンを有する信号およびスペクトル拡散パイロット信号からのチャネルのインパルス応答を推定するように構成されてもよい。受信機はパイロットトーンからのチャネルの応答を推定し、チャネル応答がスペクトル拡散パイロット信号に基づいて推定される遅延の長さを適合させる。
2008503163.tif 000002
【特許請求の範囲】
【請求項１】
マルチパスフェージングチャネルからの信号を受信することであって、前記信号は複数のパイロットトーンを含むことと、
複数のマルチパス信号到着のためのタイミング情報を導き出すことと、
前記パイロットトーンから前記チャネルの応答を推定することと、
前記チャネル応答が前記マルチパス信号到着のためのタイミング情報から推定される遅延の長さに適合することと、
を備えたチャネル推定の方法。
【請求項２】
前記信号は、複数の拡散スペクトルパイロット信号をさらに含み、前記マルチパス信号到着のための前記タイミング情報は、前記拡散スペクトルパイロット信号から導き出される、請求項１の方法。
【請求項３】
前記信号はさらに、拡散スペクトルデータにパンクチャされた直交周波数分割多重（ＯＦＤＭ）データをさらに備え、前記方法はさらに、前記マルチパス信号到着のための前記タイミング情報に基づいて前記ＯＦＤＭデータの処理を同期させることを備えた、請求項２の方法。
【請求項４】
前記チャネル応答が推定される時間の長さに適合させるために使用される前記タイミング情報は、最も早いマルチパス信号到着のためのタイミング情報と、最も遅いマルチパス信号到着のためのタイミング情報を含む、請求項１の方法。
【請求項５】
前記チャネル応答が推定される時間の長さは、最も早いマルチパス信号到着と最も遅いマルチパス信号到着との間の遅延に等しくなるように適合される、請求項４の方法。
【請求項６】
前記チャネル応答が推定される時間の長さは、１つ以上のパルス整形フィルターにより導入される遅延分散を補正するために前記遅延を調節することにより適合される、請求項５の方法。
【請求項７】
最も早いマルチパス信号到着と最も遅い信号パス到着との間の遅延は最小の遅延を超えると決定し、前記チャネル応答を推定するために時間の長さを前記推定された長さと前記最小遅延の大きい方に適合させることにより前記チャネル応答が推定される時間の長さが適合される、請求項４の方法。
【請求項８】
最も早いマルチパス信号到着と最も遅い信号パス到着との間の遅延が前記最大遅延を下回ることを決定し、前記チャネル応答を推定するために前記時間の長さを前記推定された長さと前記最大遅延のより小さい方に適合させることにより前記チャネル応答が推定される時間の長さが適合され、前記最大遅延はパイロットトーンの数の関数である、請求項４の方法。
【請求項９】
複数のパイロットトーンと拡散スペクトルパイロット信号を含む信号を受信することと、
前記パイロットトーンからのチャネルの応答を推定することと、
前記拡散スペクトルパイロット信号に基づいて前記チャネル応答が推定される時間の長さに適合させることと、
を備えたチャネル推定の方法。
【請求項１０】
前記信号は拡散スペクトルデータにパンクチャされるＯＦＤＭデータをさらに備え、前記方法は、前記拡散スペクトルパイロット信号から導き出されたタイミング情報に基づいて前記拡散スペクトルデータの処理を同期させることをさらに備えた、請求項９の方法。
【請求項１１】
前記チャネルはマルチパスフェージングチャネルであり、前記方法は、拡散スペクトルパイロット信号からの複数のマルチパス信号到着のためのタイミング情報を導き出すことをさらに備え、前記マルチパス信号到着のためのタイミング情報は、前記チャネル応答が推定される時間の長さに適合させるために使用される、請求項９の方法。
【請求項１２】
前記チャネル応答が推定される時間の長さに適合させるために使用される前記タイミング情報は、最も早いマルチパス信号到着のためのタイミング情報と最も遅いマルチパス信号到着のためのタイミング情報を含む、請求項１１の方法。
【請求項１３】
前記チャネル応答が推定される時間の長さは最も早いマルチパス信号到着と最も遅いマルチパス信号到着との間の遅延に等しくなるように適合される、請求項１２の方法。
【請求項１４】
前記チャネル応答が推定される時間の長さは、１つ以上のパルス整形フィルターにより導入される遅延分散を補正するために前記遅延を調節することにより適合される、請求項１３の方法。
【請求項１５】
前記チャネル応答が推定される時間の長さは、最も早いマルチパス信号到着と最も遅い信号パス到着との間の遅延が最大遅延を超えると決定し、チャネル応答を推定するために時間の長さを前記最大遅延に適合させることにより前記チャネル応答が推定される時間の長さが適合され、前記最大遅延はパイロットトーンの数の関数である、請求項１２の方法
【請求項１６】
最も早いマルチパス信号到着と最も遅い信号パス到着との間の遅延は最大遅延を下回ることを決定し、前記チャネル応答を推定するために前記時間の長さを前記最小遅延に適合させることにより前記チャネル応答が推定される時間の長さが適合される、請求項１２の方法。
【請求項１７】
マルチパスフェージングチャネルを介して送信された信号からタイミング情報を導き出すように構成されたレーキ受信機であって、前記タイミング情報は複数のマルチパス信号到着に関連する、レーキ受信機と、
前記信号から複数のパイロットトーンを抽出するように構成された復調器であって、前記レーキ受信機からのタイミング情報により適合することができる遅延拡散を有するチャネル推定器を含み、前記チャネル推定器は、前記パイロットトーンからのチャネルの応答を推定するように構成される、復調器と、
を備えた受信機。
【請求項１８】
前記レーキ受信機は、前記信号内の複数の拡散スペクトルパイロット信号から前記タイミング情報を導き出すようにさらに構成される、請求項１７の受信機。
【請求項１９】
前記復調器は、前記信号にパンクチャされたＯＦＤＭデータを処理するようにさらに構成され、前記ＯＦＤＭデータの処理は、前記マルチパス到着に関連するタイミング情報により同期がとられる、請求項１８の受信機。
【請求項２０】
前記レーキ受信機により発生されたタイミング情報は、最も早いマルチパス信号到着のためのタイミング情報と最も遅いマルチパス信号到着のためのタイミング情報を含む、請求項１７の受信機。
【請求項２１】
前記チャネル推定器は、最も早いマルチパス信号到着と最も遅いマルチパス信号到着との間の遅延を計算するようにさらに構成され、前記計算された遅延がある範囲内にあるなら前記遅延拡散を前記計算された遅延に適合させるようにさらに構成される、請求項２０の受信機。
【請求項２２】
前記チャネル推定器は前記遅延を計算するとき１つ以上のパルス整形フィルターにより導入される遅延分散を補正するようにさらに構成される、請求項２１の受信機。
【請求項２３】
前記範囲は前記パイロットトーンの数の関数である最大遅延を有し、前記計算された遅延が前記最大遅延を超えるなら、前記チャネル推定器は、前記遅延拡散を前記最大遅延に適合させるようにさらに構成される、請求項２１の受信機
【請求項２４】
前記範囲は最小の遅延を有し、前記計算された遅延が前記最大遅延を下回るなら前記チャネル推定器は、前記遅延拡散を前記最小遅延に適合させるようにさらに構成される、請求項２１の受信機。
【請求項２５】
チャネルを介して送信された信号内の複数の拡散スペクトルパイロット信号からタイミング情報を導き出すように構成されたレーキ受信機と、
前記信号から複数のパイロットトーンを抽出するように構成された復調器であって、前記レーキ受信機からの前記タイミング情報により適合することができる遅延拡散を有するチャネル推定器を含み、前記チャネル推定器は、前記パイロットトーンから前記チャネルの応答を推定するように構成される、復調器と、
を備えた受信機。
【請求項２６】
前記復調器は前記信号にパンクチャされたＯＦＤＭデータを処理するようにさらに構成され、前記ＯＦＤＭデータの処理は、拡散スペクトルパイロット信号から導き出された前記タイミング情報によって同期がとられる、請求項２５の受信機。
【請求項２７】
前記チャネルはマルチパスフェージングチャネルであり、前記タイミング情報は複数のマルチパス信号到着に関連する、請求項２５の受信機。
【請求項２８】
レーキ受信機により発生された前記タイミング情報は、最も早いマルチパス信号到着のためのタイミング情報と最も遅いマルチパス信号到着のためのタイミング情報を含む、請求項２７の受信機。
【請求項２９】
前記チャネル推定器は、前記最も遅いマルチパス信号到着と前記最も遅いマルチパス信号到着との間の前記遅延を計算するようにさらに構成され、前記計算された遅延がある範囲内にあるなら前記遅延拡散を前記計算された遅延に適合させるようにさらに構成される、請求項２８の受信機。
【請求項３０】
前記チャネル推定器は、前記遅延を計算するとき、１つ以上のパルス整形フィルターにより補正されるようにさらに構成される、請求項２９の受信機。
【請求項３１】
前記範囲は前記パイロットトーンの数の関数である最大遅延を有し、前記チャネル推定器は、前記計算された遅延が前記最大遅延を超えるなら前記遅延拡散を前記最大遅延に適合させるようにさらに構成される、請求項２９の受信機。
【請求項３２】
前記範囲は最小の遅延を有し、前記チャネル推定器は、前記計算された遅延が前記最大遅延を下回るなら前記遅延拡散を前記最小遅延に適合させるようにさらに構成される、請求項２９の受信機。
【発明の詳細な説明】
【関連出願】
【０００１】
３５Ｕ．Ｓ．Ｃ．§１１９に基づく優先権の主張
この特許出願は、この特許出願の譲受人に譲渡され、ここで参照することにより明示的に組み込まれる、２００４年６月１４日に出願された、「パイロット支援されたチャネル推定」(Pilot Assisted Channel Estimation)というタイトルの米国仮出願第６０／５７９，８７４に対する優先権を主張する。
【技術分野】
【０００２】
この開示は一般に電気通信に関連し、特にパイロット支援されたチャネル推定技術に関する。
【背景技術】
【０００３】
典型的な電気通信システムにおいて、送信されるべきデータはターボコードを用いて符号化される。ターボコードは、「コードシンボル」と呼ばれる、シンボルのシーケンスを発生する。いくつかのコードシンボルは、一緒にブロック化され、信号コンステレーション(constellation)上のポイントにマッピングされてもよい。それにより複素「変調シンボル」のシーケンスを発生する。このシーケンスは変調器に適用されてもよい。変調器は、無線チャネルを介して送信される連続時間信号を発生する。
【０００４】
受信機において、復調器は軟判定のシーケンスを発生する。各軟判定は、チャネルを介して送信された変調シンボルの推定値を表す。推定値はコードシンボルの対数尤度比（ＬＬＲ）を計算するために使用されてもよい。ターボデコーダーはもともと送信されたデータをデコードするためにコードシンボルＬＬＲｓのシーケンスを使用する。
【０００５】
コードシンボルのＬＬＲｓを計算するとき、チャネルの伝搬条件は考慮されなければならない。チャネル条件またはチャネルインパルス応答は、データ送信に埋め込まれた周知のパイロットシーケンスから受信機において推定されてもよい。一例として、直交周波数分割多重（ＯＦＤＭ）システムにおいて、最小二乗（ＬＳ）手続はチャネルを推定するためにしばしば使用される。この手続を用いて、チャネルは、チャネルのインパルス応答ＬＴの時間間隔がＰＴ未満ならば、周波数帯域１／２Ｔ≦ｆ≦１／２Ｔに対して等しく離間されたパイロットトーンのセットから推定されてもよい。この場合、Ｌは到着信号間のチップ内の遅延拡散であり、Ｔはチップ期間（時間）であり、ＬＴは時間遅延であり、Ｐはパイロットトーンの数であり、Ｔはチップ期間であり、ＰＴはパイロット時間期間である。
【０００６】
さらにチャネル推定分散またはエラーがＬに比例し、Ｐに反比例することを示すことができる。
【０００７】
周波数トーンに対して等しい雑音電力を仮定すると、チャネル推定分散は、以下の方程式により表すことができる。
【数１】
2008503163.tif 000003
【０００８】
この場合
【数２】
2008503163.tif 000004
【０００９】
がチャネル推定の分散を示し、
【数３】
2008503163.tif 000005
【００１０】
がトーンあたりの雑音分散を示す。
【００１１】
典型的に、受信機のチャネル推定器は固定の遅延拡散ＬＴを有する。但しＬ＝Ｐである。しかしながら、チャネルの実際のインパルス応答が小さいときこれは、不必要に大きなチャネル推定分散につながる。受信機における遅延拡散が、受信機により見られるようにチャネルの時間変化する性質に従って適応されるならチャネル推定分散は改善することができる。
【発明の概要】
【００１２】
この発明の１つの観点において、チャネル推定の方法は、マルチパスフェージングチャネルから信号を受信することであって、信号は複数のパイロットトーンを含むことと、複数のマルチパス信号到着のためのタイミング情報を導き出すことと、パイロットトーンからチャネルの応答を推定することと、マルチパス信号と到着のためのタイミング情報からチャネル応答が推定される時間の長さを適合させることとを含む。
【００１３】
この発明の他の観点において、チャネル推定の方法は、複数のパイロットトーンを含む信号と、スペクトル拡散パイロット信号を受信することと、パイロットトーンからチャネルの応答を推定することと、チャネル応答がスペクトル拡散パイロット信号に基づいて推定される時間の長さを適合させることとを含む。
【００１４】
さらにこの発明の他の観点において、受信機は、マルチパスフェージングチャネルを介して送信された信号からタイミング情報と、複数のマルチパス信号到着に関連するタイミング情報を導き出すように構成されたレーキ受信機と、信号から複数のパイロットトーンを抽出するように構成された復調器とを含み、復調器は、レーキ受信機からのタイミング情報により適合することができる遅延拡散を有するチャネル推定器を含み、チャネル推定器は、パイロットトーンからのチャネルの応答を推定するように構成される。
【００１５】
この発明のさらなる観点において、受信機は、チャネルを介して送信された信号内の複数のスペクトル拡散パイロット信号からタイミング情報を導き出すように構成されたレーキ受信機と、信号から複数のパイロットトーンを抽出するように構成された復調器とを含み、復調器はレーキ受信機からのタイミング情報により適合することができる遅延拡散を有するチャネル推定器を含み、チャネル推定器はパイロットトーンからチャネルの応答を推定するように構成される。
【発明を実施するための最良の形態】
【００１６】
添付された図面に関連して以下に述べられる詳細な記述は、この発明の種々の実施形態の記述として意図され、この発明が実施してもよい実施形態のみを表すようには意図されない。詳細な記述は、この発明の完全な理解を提供する目的のための特定の詳細を含む。
【００１７】
しかしながら、この発明はこれらの特定の詳細なしに実施してもよいことは当業者に明白であろう。ある場合に、この発明の概念を不明瞭にしないようにするために良く知られた構造およびコンポーネントはブロック図形式で示される。
【００１８】
図１は電気通信システムの一例を図解する概念ブロック図である。電気通信システム１００は、任意の数のアクセス端末（ＡＴｓ）１０４の間の通信をサポートするアクセスネットワーク（ＡＮ）１０２を含んでいてもよい。また、アクセスネットワーク１０２は、インターネット、企業イントラネット、公衆交換電話網（ＰＳＴＮ）、ブロードキャストネットワーク、または任意の他のネットワークのような、アクセスネットワーク１０２外部のさらなるネットワーク１１０ａおよび１１０ｂに接続されていてもよい。アクセス端末１０４は、無線ハンドセットまたは電話、携帯電話、データトランシーバー、ページングレシーバー、位置決定レシーバー、モデム、または任意の他の無線端末を含むアクセスネットワーク１０２と通信することができる任意のタイプの固定のまたはモバイルの装置であってよい。
【００１９】
アクセスネットワーク１０２は地理的領域の全体にわたって分散された任意の数の基地局を用いて実施されてもよい。地理的領域は、各セルにサービスする基地局を有したセルとして知られるより小さな領域に細分化されてもよい。高いトラヒックアプリケーションにおいて、セルは、各セクターにサービスする基地局を有したセクターにさらに分割されてもよい。簡単にするために、１つの基地局１０６が示される。基地局コントローラー１０８は、複数の基地局の活動を調整するために、並びにアクセスネットワーク１０２外部のネットワークにインターフェースを提供するために使用されてもよい。
【００２０】
電気通信システム１００は、任意の数の異なる技術を用いて実施されてもよい。符号分割多重アクセス（ＣＤＭＡ）は一例に過ぎない。ＣＤＭＡはスペクトル拡散通信に基づいた変調および多重アクセススキームである。ＣＤＭＡ電気通信システムにおいて、多数の信号が同じ周波数スペクトルを共有し、その結果、そのようなシステムは高いユーザーキャパシティを提供する。これは、キャリアを変調し、それにより信号波形のスペクトルを拡散する異なるコードを有した各信号を送信することにより達成される。送信された信号は、信号を逆拡散するために対応するコードを使用する復調器により受信機内で分離される。コード（複数の場合もある）が一致しない望ましくない信号（複数の場合もある）は逆拡散されず、雑音にのみ寄与する。ＣＤＭＡは技術的によく知られている。
【００２１】
ＯＦＤＭは電気通信に適したアクセススキームの他の例である。ＯＦＤＭは正確な周波数で相隔たる多数のキャリアに対してデータを配信するスペクトル拡散技術である。間隔は、受信機における復調器が受信機を対象とした周波数以外の周波数を見ることを防止する「直交性」を提供する。また、ＯＦＤＭは技術的によく知られており、広告放送および民間放送のために一般的に使用されるがそのようなアプリケーションに制限されない。
【００２２】
最近になって、ＣＤＭＡ動作とＯＦＤＭ動作の両方をサポートするハイブリッド電気通信システムが開発された。これらの電気通信システムは、アクセス端末を用いたポイントツーポイント通信をサポートするために元来設計された既存のインフラストラクチャに統合される放送サービスの分野において幅広い支持を得てきた。これらのハイブリッドシステムにおいて、アクセスネットワーク１０２は、ＯＦＤＭ送信をＣＤＭＡ波形にパンクチャするために使用されてもよい。
【００２３】
図２は受信機と通信する送信機の一例を図解する概念ブロック図である。送信機２０２および受信機２０４は、スタンドアロンエンティティであってもよいし、または図１の電気通信システムまたは任意の他の電気通信システムに統合されていてもよい。図１の電気通信システムにおいて、送信機２０２は、基地局１０６内にあってもよいし、受信機２０４はアクセス端末１０４内にあってもよい。あるいは、送信機２０２はアクセス端末１０４にあってもよいし、受信機２０４は基地局にあってもよい。
【００２４】
送信機２０２において、ターボエンコーダー２０６は、コーディングプロセスをデータに適用して前進型誤信号訂正（ＦＥＣ）を容易にするために使用されてもよい。コーディングプロセスは、誤りを訂正するために受信機２０４が使用してもよい冗長度を有したコードシンボルのシーケンスを生じる。コードシンボルが一緒にブロック化され信号コンステレーション上の座標にマッピングされる場合、コードシンボルは変調器２０８に供給されてもよい。信号コンステレーション内の各ポイントの座標は、無線チャネル２１２を介して送信する前に直交キャリア信号を変調するために、アナログフロントエンド２１０により使用されるベースバンド直交成分を表す。
【００２５】
受信機２０４内のアナログフロントエンド２１４は、直交キャリア信号をベースバンド成分に変換するために使用されてもよい。復調器２１６はベースバンド成分を信号コンステレーション内の正しいポイントに変換してもよい。チャネル２１２内の雑音および他の妨害のために、ベースバンド成分は、オリジナル信号コンステレーション内のポイントの正確なロケーションに対応しないかもしれない。復調器２１６は受信したポイントと、信号コンステレーション内の正当なシンボルのロケーションとの間の最も小さい距離を発見することによりどの変調シンボルが送信された可能性が最も高いかを検出する。これらの軟判定は、ＬＬＲ計算モジュール２１８により使用され、与えられた変調シンボルに関連するコードシンボルのＬＬＲを決定する。ターボデコーダー２２０はオリジナルに送信されたデータをデコードするためにコードシンボルＬＬＲｓのシーケンスを使用する。
【００２６】
送信された変調シンボルを復調器において検出するとき、チャネルのインパルス応答が考慮されなければならない。種々の技術を受信機２０４において採用し、チャネルのインパルス応答を推定してもよい。共通の例は最小二乗手続である。これは、この開示の背景部分において以前に述べられたが、他のよく知られた手続が使用されてもよい。ＣＤＭＡ電気通信システムにおいて、これらの手続は、コヒーレント処理利得並びにより簡単なチャネルパラメーター化によるデータよりも雑音が少ない大きさの次数であるチャネル推定値を生成してもよい。その結果、送信された変調シンボルを検出するとき、チャネル推定エラーは通常無視することができる。しかしながら、チャネル推定は、ＯＦＤＭ電気通信システムにおいて、受信されたデータ内の雑音に相当する分散をしばしば有する。そのような場合、送信された変調シンボルを検出する前にチャネル推定分散を抑制することは望ましいかもしれない。
【００２７】
ＯＦＤＭ電気通信システムにおいてチャネル推定の精度を高める１つの方法は周波数帯域にわたってパイロットトーンの数を増加させることである。しかしながら、このアプローチは、さもなければデータを送信するために使用することができるチャネル推定プロセスにより多くのリソースを割り当てる。それゆえ、様々な状況において最も望ましいアプローチではないかもしれない。あるいは、チャネル推定器の遅延拡散ＬＴはチャネル条件を変更することにより適合されてもよい。このアプローチの場合、方程式（１）に示されるＬの対応する低減により、チャネルの時間分散が小さいとき、チャネル推定分散またはエラーは低減されてもよい。ＯＦＤＭ動作とＣＤＭＡ動作の両方をサポートするハイブリッド電気通信システムにおいて、遅延拡散ＬＴは、ＣＤＭＡパイロット信号から得られた情報に基づいて適合されてもよい。具体的には、ＣＤＭＡ復調器内のレーキ受信機からの情報は、受信機２０４により見られるようにチャネルのインパルス応答の時間間隔を決定するために使用されてもよく、この情報は、チャネル推定器の遅延拡散ＬＴを適合させるために使用されてもよい。
【００２８】
図３は、ＣＤＭＡ動作とＯＦＤＭ動作の両方をサポートする受信機の機能性を図解する概念ブロック図である。受信機２０４はＣＤＭＡ復調器３０２とＯＦＤＭ復調器３０４を含んでいてもよい。これらは、マイクロプロセッサー、デジタルシグナルプロセッサー（ＤＳＰ）、または任意の他のハードウエアおよび／またはソフトウエアベースの処理エンティティのような単一の処理エンティティに統合されてもよい。あるいは、復調器３０２と３０４の各々は、マイクロプロセッサー、ＤＳＰ、プログラマブルロジックまたは専用ハードウエアのような別個の処理エンティティであってもよいし、またはアクセス端末内の任意の数の処理エンティティの中で分散されていてもよい。
【００２９】
ＣＤＭＡ復調器３０２は、マルチパスフェージングチャネル環境においてダイバーシティ利得を達成するためにレーキ受信機３０６を含んでいてもよい。レーキ受信機３０６は別個の相関器３０８を用いて、各マルチパス信号を処理するように構成されていてもよい。サーチャー３１０は強いマルチパス信号到着を識別するために使用されてもよい。これは、ベースバンド直交成分をサーチし、マルチパス毎にパイロット信号を見つけることにより達成されてもよい。サーチャー３１０は、ベースバンド直交成分をスペクトル拡散パイロット信号のローカルに発生されたレプリカと相関づけることによりこの機能を実行してもよい。次に、マルチパスのタイミングオフセットを識別するためにフィンガーがサーチャー３１０により割り当てられてもよい。スペクトル拡散処理の時間基準として異なるフィンガーが各相関器３０８により使用されてもよい。相関器３０８の個々の出力は、加算器３１２においてコヒーレントに結合されてもよい。この結果は、ＣＤＭＡ変調器３０２内の信号デマッパー(demapper)３１４とＬＬＲ計算モジュール３１６に供給されてもよい。
【００３０】
ＯＦＤＭ復調器３０４は、ＯＦＤＭシンボルを処理するために使用されてもよい離散型フーリエ変換（ＤＦＴ）３１８を含んでいてもよい。ＤＦＴ３１８を同期させるためにレーキ受信機３０６からＤＦＴ３１８にタイミング基準が供給されてもよい。タイミング基準は最も早いマルチパス到着に対応するフィンガー割り当てであってもよい。ＯＦＤＭ復調器３０４の少なくとも１つの実施形態において、送信パルス整形フィルターおよび受信パルス整形フィルターの非因果部分を補正するために最も早いマルチパス到着からのある所定のバックオフ(back-off)時間において、ＤＦＴ３１８はＯＦＤＭシンボルの処理を開始する。一例として、ＤＦＴ３１８は、最も早いマルチパス到着より前にＯＦＤＭシンボルの１０チップの処理を開始するように構成されてもよい。この場合１「チップ」はＴにより定義される時間の単位である。
【００３１】
ＤＦＴ３１８は時間領域内のＯＦＤＭ信号を周波数領域に変換するために使用されてもよい。周波数領域において、各キャリアまたはトーンの情報は別個の周波数ビンに分離される。パイロットトーンは、周波数帯域にわたって等しく離間され、データトーンを用いて散在されるが、パイロットトーンフィルター３２０によりチャネル推定器３２２に供給されてもよい。パイロットトーンフィルター３２０はデシメーターまたは他の適切な装置を用いて実施されてもよい。パイロットトーンフィルター３２０は、ＤＦＴ３１８からのデータトーンを信号デマッパー３２４にいつ送信するかを示すシグナリングをデータトーンフィルター３３４に供給してもよい。信号デマッパー３２４は、データトーン上に送信された可能性が最も高い信号コンステレーション内の変調信号に関して軟判定を行う。この決定は、一部分、チャネルのインパルス応答に基づいていてもよい。チャネル推定器３２２は、この情報を信号デマッパー３２４に供給するために使用されてもよい。チャネル推定器３２２は、最小二乗手続または任意の他の適切なチャネル推定手続を用いてパイロットトーンからのチャネルのインパルス応答を推定してもよい。
【００３２】
チャネル推定器３２２は、逆離散フーリエ変換（ＩＤＦＴ）３２８を用いて実施されてもよい。ＩＤＦＴ３２８は、周波数領域からのパイロットトーンを時間領域内のチャネルインパルス応答のＰサンプルに変換する。次に、チャネルの周波数応答は、補間プロセスを用いてＰサンプルからの全ての周波数トーンに対して推定されてもよい。この機能は、チャネル推定器３２２内のＤＦＴ３３０により実行されてもよい。
【００３３】
チャネルのインパルス応答を推定するためにＤＦＴ３３０により使用されるサンプルの数は、その遅延拡散３３２により決定される。チャネル推定分散における改良は、サンプルの数をＰからＬに低減することにより実現されてもよい。（チップにおける）遅延拡散Ｌは、最も早いマルチパス到着（Ｔmin）および最も遅いマルチパス到着（Ｔmax）のためのフィンガー割り当てから決定されてもよい。但しＴmaxとＴminはチップで測定される。従って、遅延拡散Ｌは以下の方程式から計算されてもよい。
【数４】
2008503163.tif 000006
【００３４】
但しＴpulseは、送信機と受信機内のパルス整形フィルターにより導入された遅延分散を表す。ＰおよびＴ0はそれぞれ遅延拡散の上限と下限を設定する。一例として、ＣＤＭＡアクセス端末に統合された６４パイロットトーンＰを有するＯＦＤＭ電気通信システムにおいて、Ｔpulseは、送信機と受信機内のパルス整形フィルターの結合された応答を補正するために１６チップに設定されてもよい。最小遅延拡散Ｔminは３２チップに設定されてもよい。
【００３５】
ここに開示されている実施形態に関連して記載された多様な例示的な論理ブロック、モジュール及び回路は、汎用プロセッサー、デジタルシグナルプロセッサー（ＤＳＰ）、特定用途向け集積回路（ＡＳＩＣ）、フィールドプログラマブルゲートアレイ（ＦＰＧＡ）、または他のプログラマブルロジックコンポーネント、離散ゲートまたはトランジスタロジック、離散ハードウェアコンポーネント、またはここに記載される機能を実行するように設計された任意の組み合わせを用いて実現または実行されてよい。汎用プロセッサーは、マイクロプロセッサーであってよいが、代替策ではプロセッサーは、任意の従来のプロセッサー、コントローラー、マイクロコントローラーまたは状態機械であってよい。また、プロセッサーは、計算コンポーネントの組み合わせ、例えば、ＤＳＰとマイクロプロセッサーの組み合わせ、複数のマイクロプロセッサー、ＤＳＰコアと連結された１つ以上のマイクロプロセッサー、または任意の他のそのような構成として実施されてもよい。 ここに開示された実施形態に関連して説明された方法またはアルゴリズムのステップは、ハードウエア内、プロセッサーによって実行されるソフトウェアモジュール内、あるいは２つの組み合わせの中で直接的に具現化されてよい。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または技術的に既知である任意の他の形式の記憶媒体に常駐してよい。記憶媒体は、プロセッサーが記憶媒体から情報を読み取り、記憶媒体に情報を書き込むことができるようにプロセッサーに結合されてもよい。代替策では、記憶媒体はプロセッサーに一体化してよい。
【００３６】
開示された実施形態の上述の記載は、当業者がこの発明を製作または使用することを可能にするために提供される。これらの実施形態に対する種々の変更は当業者に容易に明白であり、ここに定義される統合的原理は、この発明の精神または範囲から逸脱することなく他の実施形態に適用されてもよい。したがって、この発明はここに示される実施形態に限定されることを意図されないがクレームに一致する全範囲と一致される。この場合１つだけのエレメントへの参照は、特にそのように記載されないかぎり「唯一」を意味することを意図せず、むしろ「１つ以上」を意図する。当業者に知られているかまたは後で知られるようになったこの開示の全体を通して記載された種々の実施形態のエレメントに相当するすべての構造および機能は、参照することによりここに明示的に組み込まれ、クレームにより含まれるように意図される。さらに、そのような開示がクレームに明示的に記載されているかどうかにかかわらず、ここに開示されたものは公にささげられるようには意図されない。エレメントが「するための手段」または方法クレームの場合にはエレメントが「するためのステップ」というフレーズを用いて明示的に記載されない限り、クレームエレメントは、３５Ｕ．Ｓ．Ｃ．§１１２第６パラグラフの定めるところに従って、クレームエレメントは、解釈されるべきでない。
【図面の簡単な説明】
【００３７】
【図１】図１は電気通信システムの一例を図解する概念ブロック図である。
【図２】図２は受信機と通信する送信機の一例を図解する概念ブロック図である。
【図３】図３はＣＤＭＡ動作とＯＦＤＭ動作の両方をサポートする受信機の機能性を図解する概念ブロック図である。
【図１】
2008503163.tif 000007
【図２】
2008503163.tif 000008
【図３】
2008503163.tif 000009
【手続補正書】
【提出日】平成19年3月19日(2007.3.19)
【手続補正１】
【補正対象書類名】特許請求の範囲
【補正対象項目名】請求項８
【補正方法】変更
【補正の内容】
【請求項８】
最も早いマルチパス信号到着と最も遅い信号マルチパス到着との間の遅延が前記最大遅延を下回ることを決定し、前記チャネル応答を推定するために前記時間の長さを前記推定された長さと前記最大遅延のより小さい方に適合させることにより前記チャネル応答が推定される時間の長さが適合され、前記最大遅延はパイロットトーンの数の関数である、請求項４の方法。
【手続補正２】
【補正対象書類名】特許請求の範囲
【補正対象項目名】請求項１６
【補正方法】変更
【補正の内容】
【請求項１６】
最も早いマルチパス信号到着と最も遅い信号マルチパス到着との間の遅延は最大遅延を下回ることを決定し、前記チャネル応答を推定するために前記時間の長さを前記最小遅延に適合させることにより前記チャネル応答が推定される時間の長さが適合される、請求項１２の方法。
【手続補正３】
【補正対象書類名】明細書
【補正対象項目名】００１８
【補正方法】変更
【補正の内容】
【００１８】
図１は電気通信システムの一例を図解する概念ブロック図である。電気通信システム１００は、任意の数のアクセス端末（ＡＴｓ）１０４の間の通信をサポートするアクセスネットワーク（ＡＮ）１０２を含んでいてもよい。また、アクセスネットワーク１０２は、インターネット、企業イントラネット、公衆交換電話網（ＰＳＴＮ）、ブロードキャストネットワーク、または任意の他のネットワークのような、アクセスネットワーク１０２外部のさらなるネットワーク１１０Ａおよび１１０Ｂに接続されていてもよい。アクセス端末１０４は、無線ハンドセットまたは電話、携帯電話、データトランシーバー、ページングレシーバー、位置決定レシーバー、モデム、または任意の他の無線端末を含むアクセスネットワーク１０２と通信することができる任意のタイプの固定のまたはモバイルの装置であってよい。
【手続補正４】
【補正対象書類名】図面
【補正対象項目名】図２
【補正方法】変更
【補正の内容】
【図２】
2008503163.tif 000010
【手続補正５】
【補正対象書類名】図面
【補正対象項目名】図３
【補正方法】変更
【補正の内容】
【図３】
2008503163.tif 000011
【国際調査報告】
2008503163.tif 000012
2008503163.tif 000013
2008503163.tif 000014